(57)【要約】【課題】設定データの登録時にのみ必要な回路やテンキーなどの設定専用のボタンを減少して装置全体の簡略化がなされているともに、併設電話機を接続する構成をとる必要がない通報装置を提供することにある。【解決手段】異状状態を検知するためのセンサが検知した検知出力に対応して、予め登録された通報先にその異状状態を通報回線を介して自動通報するための通報装置である。前記通報回線とは異なる他の通信回線通に接続された任意の電話機から伝送される前記通報先等の情報として入力されるＰＢ信号の受信可否を切替するモードスイッチがそのＰＢ信号の受信可能状態にセットされたときに、ＰＢ信号を受信してそのＰＢ信号に対応する設定データをメモリに記憶させておき、設定データに対応する通報先に異状状態が通報されるように構成されている。【選択図】      図１
2006163479.tif 000002
【特許請求の範囲】
【請求項１】
異状状態を検知するために配置された操作ボタンを含む少なくとも一つのセンサが検知した検知出力に対応して、当該異状状態に対応するように予め登録された通報先に当該異状状態を通報回線を介して自動通報するための通報装置であって、
前記通報回線とは異なる他の通信回線に接続された任意の電話機から伝送される前記通報先等の情報として入力されるＰＢ信号の受信可否を切替するモードスイッチと、
該モードスイッチが前記ＰＢ信号の受信可能状態にセットされたときに前記ＰＢ信号を受信して当該ＰＢ信号に対応する設定データをメモリに記憶させるデータ設定回路とを備え、
当該データ設定回路に記憶した該設定データのうちの少なくとも一つが前記異状状態に対応する通報先として登録されて前記異状状態が通報されるように構成された
通報装置。
【発明の詳細な説明】
【技術分野】
【０００１】
本発明は、通報装置に関するものであり、特に、予め定めた異状状態を検知するために配置された操作ボタンを含む少なくとも一つのセンサが検知した検知出力に対応して、その異状事態発生の時に予め登録した通報先に自動通報を行う通報装置に関するものである。
【背景技術】
【０００２】
この種の通報装置、例えば、非常通報装置では、非常事態が発生した時に非常通報装置に接続されている押しボタンや付属の無線ペンダントのボタン、または非常通報装置に設けてある緊急ボタンを押すだけで、予め登録された１箇所または２箇所以上の通報先に対して優先順位に従ってオートダイヤリングし、予め登録された音声メッセージまたはプッシュボタン信号を自動で電話回線を介して送出して非常通報を行なっている。また、非常通報装置に火災センサや防犯センサなどの各種センサを接続して各種センサからの非常事態発生を検出し、上記と同様に予め登録された通報先へ非常通報している（特許文献１参照）。
【特許文献１】特開平１１−１８７１５２号公報
【発明の開示】
【発明が解決しようとする課題】
【０００３】
このような従来の非常通報装置では、回線設定や通報先の電話番号等を予め設定しておく必要があるが、ディップスイッチで設定できない通報先の電話番号等を設定する時には、図４に示すように、非常通報装置１にテンキーなどの設定専用のボタン３２を設け、このテンキーなどの設定専用のボタン３２の各キーを適宜選択して押下して、その数値をボタン情報取得回路３１を介してＣＰＵ２１が取得して、設定データとして非常通報装置１内の不揮発性メモリ２２に書き込んで登録していた。そのために、全体を制御するＣＰＵ２１や設定データを保存する不揮発性メモリ２２および非常通報に必要な回路のプッシュボタン信号送受信回路２３，回線制御装置２４，音声合成回路２５，音声切り替え回路２６，ＩＯ検出回路２７の他に、テンキーなどの設定専用のボタン３２およびボタン情報取得回路３１が必要であった。
【０００４】
また、設定専用のボタンを省略するために、図５で示すように、非常通報装置１に接続している併設電話機４２のダイヤルボタンを押して併設電話機４２から送出するプッシュボタン信号の値を接続装置４１とプッシュボタン信号送受信回路２３を介してＣＰＵ２１が取得し、設定データとして非常通報装置１内の不揮発性メモリ２２に書き込んで登録していた。そのために、全体を制御するＣＰＵ２１や設定データを保存する不揮発性メモリ２２および、非常通報に必要な回路のプッシュボタン信号送受信回路２３，回線制御装置２４，音声合成回路２５，音声切り替え回路２６，ＩＯ検出回路２７の他に、プッシュボタン信号を送出する併設電話機４２および併設電話機４２を接続するための接続装置４１が必要であった。
【０００５】
このような非常通報装置は小型化および低価格化が求められているが、従来の技術ではＣＰＵや不揮発性メモリおよび非常通報に必要な回路の他に、設定データの登録時にのみ必要なテンキーなどの設定専用のボタンやそのボタン情報を取得するボタン情報取得回路が必要であり、装置全体の複雑化に伴う大型化やコストアップになる問題があった。
【０００６】
そこで、設定専用のボタンを省略した構成でも、ＣＰＵや不揮発性メモリおよび非常通報に必要な回路の他に設定データの登録時にのみ必要な併設電話機やその併設電話機を接続するためのインタフェース機能を有する回線制御装置が必要であり、さらにプッシュボタン信号が送出できる併設電話機を非常通報装置に接続する必要があるため、装置全体の複雑化に伴う大型化やコストアップになる問題があった。
【０００７】
本発明の目的は、このような従来技術の欠点を除去し、設定データの登録時にのみ必要な回路やテンキーなどの設定専用のボタンを減少して装置全体の簡略化による小型化および低価格化されているともに、併設電話機を接続する構成をとる必要がない通報装置を提供することにある。
【課題を解決するための手段】
【０００８】
この課題を解決するために、本発明による通報装置は、異状状態を検知するために配置された操作ボタンを含む少なくとも一つのセンサが検知した検知出力に対応して、当該異状状態に対応するように予め登録された通報先に当該異状状態を通報回線を介して自動通報するための通報装置であって、
前記通報回線とは異なる他の通信回線に接続された任意の電話機から伝送される前記通報先等の情報として入力されるＰＢ信号の受信可否を切替するモードスイッチと、
該モードスイッチが前記ＰＢ信号の受信可能状態にセットされたときに前記ＰＢ信号を受信して当該ＰＢ信号に対応する設定データをメモリに記憶させるデータ設定回路とを備え、
当該データ設定回路に記憶した該設定データのうちの少なくとも一つが前記異状状態に対応する通報先として登録されて前記異状状態が通報されるように構成されている。
【０００９】
本発明が対象としている通報装置、例えば、非常通報装置は、火災，警備上の異状等の「非常通報」を発出する警備，防犯を目的として特定の事業所に配置されることが通例であるが、一般家庭用としても同様の火災，警備上の異状を検知するセンサ、または、高齢者等に携行させてその身体上の異状時に操作させて異状メッセージを出す押ボタン付ペンダントからの検知出力に対応した「異状通報」を発出する通報装置も実用化されている。いずれの場合においても、この場合の通報装置は、通信回線に接続された通報先に、その通信回線を介して「異状通報」を発出する発信専用機であって、非常通報装置自体には、通信回線からの着信に応答する機能は存在していない。これは、着信に応答することによって回線が使用状態となり、非常時に発信することができないという不都合を回避するためである。
【００１０】
本発明は、通信回線からの着信応答機能が存在しなかった従来の通報装置にモードスイッチを設けて、このモードスイッチが操作されたときに、着信応答機能を動作させて、この通信回線から設定データを送り込んで非常通報装置内に通報先として登録させることができるように構成されたことを特徴としている。
【発明の効果】
【００１１】
このような構成によれば、移動通信端末を電話回線を利用して通報装置と接続する構成を、設定データの設定用テンキーの代りに用いて、通報装置が「現用中」ではない「調整中」に、通報先の電話番号等の設定データの登録を行うことにより、設定データの登録時にのみ必要な回路やテンキーなどの設定専用のボタンを減少して、装置全体の簡略化による非常通報装置の小型化および低価格化を実現するとともに、数値設定のために併設電話機を非常通報装置に接続する必要がないといった作用効果がある。
すなわち、図４で示されている従来の装置におけるテンキーなどの設定専用のボタン３２とボタン情報取得回路３１が不要であり、図５で示されている併設電話機４２とその併設電話機４２を接続するための接続装置４１が不要になる。
【発明を実施するための最良の形態】
【００１２】
図１は本発明による通報装置の具体例としての非常通報装置を含む通信系の構成例を示す装置構成例図である。非常通報装置１の正面パネルの右下に緊急時に押下する緊急ボタン７が配設され、緊急ボタン７の上には「通報」していることを音声メッセージやブザーで知らせるスピーカ８が配設されている。
非常通報装置１の正面パネルの左下には、「通報」を取り消すための取消ボタン９が配設され、取消ボタン９の上側には「通報中」の表示や「通報」の履歴を表示するＬＥＤ１０が配設されている。
【００１３】
１１は火災センサ防犯センサ等の各種センサを接続する端子部であり、端子部１１には「通常動作モード」と着信待ちである「設定動作モード」とを切り替えるモードスイッチ１２があり、端子部１１にあるモジュラーコネクタ１３に電話回線２が接続されている。３は電話回線交換局、４は移動通信交換局、５は移動通信基地局、６は移動通信端末である。Ｒ１，Ｒ２，Ｒ３は消防署，警察署，市役所などの任意に登録された通報先を示す。
【００１４】
図２は非常通報装置１の機能ブロック図である。非常通報装置１は各種演算および制御を実行するためのＣＰＵ２１であり、ＣＰＵ２１には各種制御プログラムを格納するためのＲＯＭ２１−１や各種データを記憶するためのＲＡＭ２１−２が内蔵されている。さらに、登録データＤが消去可能な状態で書き込まれている不揮発性メモリ２２、通報先へのオートダイヤリング時におけるプッシュボタン信号を生成するとともに電話回線２からのプッシュボタン信号を受信するプッシュボタン信号送受信回路２３、電話回線２に接続するためのインターフェース機能を有する回線制御装置２４、音声メッセージＭ１や各種音声情報Ｍ２を出力可能な音声合成回路２５、音声合成回路２５からの出力を非常通報装置１に設けてあるスピーカ８または回線制御装置２４を介して電話回線２に出力するように切替える音声切り替え回路２６、非常通報装置１に設けてある緊急ボタン７や取消ボタン９および各種センサ２９の状態を検出するＩＯ検出回路２７、電話回線２からの着信を検出する着信検出回路２８を備える。
なお、着信検出回路２８は、モードスイッチ１２の操作により、回線制御装置２４から切り離すことができる。
【００１５】
次に、非常通報装置１の使用方法および動作について、図１および図２を参照して説明する。「非常事態」の発生により、緊急ボタン７が押された場合を想定する。これにより、ＩＯ検出回路２７が緊急ボタン７の押し下げを検出し、回線制御装置２４は登録された通報先Ｒ１，Ｒ２，Ｒ３に対し、優先順位に従って順次オートダイヤリングを実行する。この際に、送出するダイヤル信号はプッシュボタン信号送受信回路２３が生成する。「非常通報動作」を実行していることを知らせるために、音声切り替え回路２６は音声合成回路２５の出力をスピーカ８側に接続し、予め登録された音声メッセージＭ１を音声合成回路２５からスピーカ８に出力する。また、非常事態の種類に対応したＬＥＤ１０を点滅する。
【００１６】
そこで、通報先Ｒ１が応答した時に音声合成回路２５は一旦音声メッセージＭ１を停止し、音声切り替え回路２６は音声合成回路２５を電話回線２側に接続して、音声合成回路２５から電話回線２を介して通報先Ｒ１，Ｒ２，Ｒ３へ予め登録された音声情報Ｍ２、すなわち「非常事態」の旨を出力して通報先へ知らせる。
なお、上記動作において、電話回線の着信を検出する着信検出回路２８は、モードスイッチ１２の手動又は自動操作により、回線制御装置２４から切り離されている。
【００１７】
次に、本発明による非常通報装置１における登録データＤの設定動作の手順を図３のフローチャートにより説明する。なお、このときには、非常通報装置１は、「現用中」ではなく「調整中」である。
【００１８】
まず、非常通報装置１のモードスイッチ１２を「設定モード」に操作する（ステップＳ１）。このＳ１での操作により、着信検出回路２８は回線制御装置２４に接続されて着信待ちの状態となる（ステップＳ２）。また、「着信待ち」であることをＬＥＤ１０の点灯により知らせる。移動通信端末６により電話回線２の電話番号をダイヤリングした時（ステップＳ３）、非常通報装置１は着信検出回路２８により電話回線２からの呼出し信号を検出し、着信応答する（ステップＳ４）。非常通報装置１は設定する項目選択のためにスピーカ８から音声メッセージを送出する（ステップＳ５）。設定する項目を選択する場合には、項目に対応した回数だけ緊急ボタン７を押す（ステップＳ６）。このとき緊急ボタン７を押す毎に非常通報装置１のＬＥＤ１０を順次点灯して、設定する項目がその点灯したＬＥＤより判断できるようにする。緊急ボタン７を押下してから一定時間緊急ボタン７を離したら項目を決定したと判断し、そのとき選択していた項目の設定処理に移行する。非常通報装置１はデータ入力のためにスピーカ８から音声メッセージを送出する（ステップＳ７）。現在設定されているデータを削除する場合には、取消ボタン９を押してＣＰＵ２１は不揮発性メモリ２２のステップ６にて選択された項目の登録データＤを削除する（ステップＳ８）。移動通信端末６から登録するデータをダイヤリングしてプッシュボタン信号を送出する（ステップＳ９）。非常通報装置１は移動通信端末６から受信したプッシュボタン信号を登録データＤとして不揮発性メモリ２２に書き込み、登録したデータを確認するためにスピーカ８から登録データＤを音声メッセージにて送出する（ステップＳ９）。
【００１９】
別の項目を設定する場合には、再度ステップＳ５より実行する。全ての項目を設定した時に、非常通報装置１のモードスイッチ１２を「通常動作モード」に設定する（ステップＳ１１）。このステップＳ１１により、着信検出回路２８は回線制御装置２４から切り離される（ステップＳ１２）。非常通報装置１は電話回線２を開放して通常動作モードへ移行する（ステップＳ１３）。
【００２０】
以上は移動通信端末６を用いる場合を説明したが、この移動通信端末６は非常通報装置１が接続された回線２とは別の回線に接続されているので、これと同様に回線２とは別の回線に接続された任意の電話機を移動端末６の代わりに用いることができる。
【産業上の利用可能性】
【００２１】
本発明は、特定の事業所に火災，警備，防犯を目的として配置することの外に、一般家庭においても同様の火災，警備，防犯とともに、高齢者の身体上の異状を報知する介護サービスを目的とする場合にも利用可能である。
【図面の簡単な説明】
【００２２】
【図１】本発明による通報装置を含む通信系の構成例を示す装置構成例図である。
【図２】本発明による通報装置の機能例を示すブロック図である。
【図３】本発明による通報装置の動作を説明するためのフローチャートである。
【図４】従来の通報装置例を示すブロック図である。
【図５】従来の通報装置例を示すブロック図である。
【符号の説明】
【００２３】
１  非常通報装置
２  電話回線
３  電話回線交換局
４  移動通信交換局
５  移動通信基地局
６  移動通信端末
７  緊急ボタン
８  スピーカ
９  取消ボタン
１０  ＬＥＤ
１１  端子部
１２  モードスイッチ
１３  モジュラーコネクタ
２１  ＣＰＵ
２２  不揮発性メモリ
２３  プッシュボタン信号送受信回路
２４  回線制御装置
２５  音声合成回路
２６  音声切り替え回路
２７  ＩＯ検出回路
２８  着信検出回路
２９  各種センサ
３１  ボタン情報取得回路
３２  テンキーなどの設定専用のボタン
４１  接続装置
４２  併設電話機
【図１】
2006163479.tif 000003
【図２】
2006163479.tif 000004
【図３】
2006163479.tif 000005
【図４】
2006163479.tif 000006
【図５】
2006163479.tif 000007